(57)【要約】      （修正有）【課題】就寝中に寝具の首回りや肩口或いは足先付近に寒気が侵入して安眠と健康を害するという不都合を解決すること。【解決手段】寝具の上部中央に両縁弧状切り込み（２）を設け、また、寝具の裏面下部辺（５）を底部とした浅底袋（６）を設け、更に寝具裏面上部の両縁弧状切り込み（２）の左右に八の字のように対称的に布の取手（１０）を設けたことで上記の課題を解決する。【選択図】図２
0003114811.tif 000002
【実用新案登録請求の範囲】
【請求項１】
寝具（１）の上部中央に両縁弧状切り込み（２）を設けたことを特徴とする防寒寝具である。
【請求項２】
寝具（１）裏面下部辺（５）を底部とした浅底袋（６）を設けたことを特徴とする請求項１記載の防寒寝具である。
【請求項３】
寝具（１）の裏面上部の両縁弧状切り込み（２）の左右に八の字のように対称的に布の取手（１０）を各１個を設けたことを特徴とする請求項１記載の防寒寝具である。
【考案の詳細な説明】
【考案の詳細な説明】
【技術分野】
【０００１】  本考案は、就寝中に首回りや肩口或いは足先付近への寒気の侵入を防止できる寝具に関する。
【背景技術】
【０００２】  従来、就寝する際、掛け布団の下に丹前や毛布などを掛けて体温を保持していた。また、寝具上部中央にＵ字型の切れ込みを設けた肩冷え防止寝具がある（例えば特許文献１参照）。また、上掛け寝具の上辺中央から縦方向面内に向かう直線状の切込み部の上両隅を円弧状の縁取りにした上掛け寝具がある（特許文献２参照）。また、毛布の上辺部中央の切り込みを開衿状に折返した寝具用肩冷防止毛布がある（特許文献３参照）。
【特許文献１】実開平６−２９４６８号公報（第２頁、図１）
【特許文献２】実用新案登録第３０９６０７２号公報（第２頁、図２）
【特許文献３】公開実昭６２−１６６７８２号公報（第１頁、図２）
【考案の開示】
【考案が解決しょうとする課題】
【０００３】  上記の丹前や毛布を使用した場合は首回りや肩口からの寒気の侵入を防ぐことが困難であった。特に丹前の場合は、肩口などの隙間を無くそうとして丹前の前衿を敷き布団に密着させようとすると丹前の衿首が喉元を圧迫するだけでなく隙間をなくすことができず結局寒気の侵入を防げぬ儘に眠りについていた。
【０００４】  上記の実開平６−２９４６８号公報記載の寝具上部にＵ字型の切れ込み（２２）を設けた肩冷え防止寝具の場合、切れ込みの幅が広すぎるために寝返りをうって横向きになると首回りや肩口に隙間ができ、冷え防止ができなくなり、また、通常の就寝姿勢に於いても寝具と肩先との間に空洞が生じ、冷気が籠もり保温効果が低下するという欠点がある。
【０００５】  また、上記の実用新案登録第３０９６０７２号公報記載の上掛け寝具の上辺中央から縦方向面内に向かう直線状の切込み部の上両隅を円弧状の縁取りにした上掛け寝具の縦襟部（２３）と、上記の公開実昭６２−１６６７８２号公報記載の寝具上部の中央を直角に二分し、開衿状に折返した部分（２４）との使用形態が凡そ同じことから以下の様な問題点がある。所謂、縦襟部（２３）、或いは開衿状に折り返した部分（２４）が両頬を覆う形になっており、寝返りをうって横向きになると口鼻目などに触れて安眠を妨げ、且つ、寝具が側頭部から枕へ橋渡しとなるため隙間ができ、後ろ首回りから背中へと冷気が侵入するという欠点がある。また、通常の就寝姿勢に於いても寝具と肩先との間に空洞が生じ、冷気が籠もり保温効果が低下するという欠点がある。
【０００６】  また、上記した例の何れに於いても、寝返りをうったり手足が動いたりした場合、寝具（１）全体が上部方向にずれたり、寝具の足先付近が左右にずれたり腰の付近に捲れ上がったりして寒気が侵入し、足腰が冷え込むという欠点があった。
【課題を解決するための手段】
【０００７】  上記の課題を解決するための請求項１の本考案は、寝具（１）の上部中央に両縁弧状切り込み（２）を設けたことを特徴とする防寒寝具である。
所謂、両縁弧状切り込み（２）の縁（３）を押し開き、切り込み下部のＶ字型部（４）を喉元の位置として、両縁弧状切り込み（２）の縁（３）を側首や側後頭部に密着させ、首回りや肩口の隙間をなくして寒気の侵入を防止することができる。
【０００８】  また、請求項２の本考案は、寝具（１）裏面（図２）の下部辺（５）を底部として浅底袋（６）を設けたことを特徴とする請求項１記載の防寒寝具である。
所謂、浅底袋（６）を敷き布団（７）の下部（８）に嵌め込むことで寝具の下部を固定し、これに依って寝具（１）が上部方向へずれることがなく、請求項１の本考案の効果が補助され、あわせて足先付近への寒気の侵入も防止することができる。
【０００９】  請求項３の本考案は、寝具（１）裏面（図２）上部の両縁弧状切り込み（２）の左右に八の字のように対称的に布の取手（１０）を各１個を設けたことを特徴とする請求項１記載の防寒寝具である。
所謂、請求項１の本考案の効果に依り寝具が肩口を覆うが、寝具（１）と肩先（１１）との間に空洞（１２）が生じて冷気が籠もり保温効果が低下する。従って取手（１０）に手（１３）を掛けて寝具（１）を肩先（１１）に引き寄せることで空洞（１２）がなくなり、保温効果を高めることができる。
【考案の効果】
【００１０】  本考案は、就寝中に首回りや肩口或いは足先付近への寒気の侵入を防止することができる。特に寝返りを打って横向きになった場合に於いても切り込みの下部Ｖ字型部（４）が首の動きに誘導されるので隙間が生じない故に首回りや肩口への寒気の侵入を防止することができる。また、寝具が上部方向にずれることが防止され、両縁弧状切り込み（２）が頭上方向へずれることがなく、請求項１の本考案の効果が補助される。また寝具の足先付近が左右にずれることがなくなるので足先付近への寒気の侵入を防止することができる。また、寝具（１）と肩先との間にできる空洞（１２）をなくすことで保温効果を高めることができる。なお、請求項１、２、３、の本考案の効果に依って安眠と健康が守られる。また、体温が保持できるので省エネの為、室温を低く設定することも可能である。
【考案を実施するための最良の形態】
【実施例】
【００１１】  図１は、寝具上部中央に両縁弧状切り込み（２）を設けて首回りや肩口からの寒気の侵入を防止することを特徴とする防寒寝具の表面図である。所謂、両縁弧状切り込み（２）の縁（３）を左右に押し開き、切り込み下部のＶ字型部（４）を喉元の位置として、両縁弧状切り込み（２）の縁（３）を側首及び側後頭部に密着させ、首回りや肩口の隙間を無くして寒気の侵入を防止することができる。
なお、両縁弧状切り込み口（１４）の横幅寸法は凡そ１センチメートルとし、両縁弧状切り込み（２）中央部の横幅寸法（１５）は凡そ首径の二分の一とする。
両縁弧状切り込み（２）中央部の横幅寸法（１５）は、広すぎると寝返りをうって横向きになると首回りや肩口に隙間ができて寒気が侵入し、逆に狭すぎると両縁弧状切り込み（２）を押し開いた時に寝具（１）の端（１６）の付近が圧力を受けて浮き上がり隙間が生じて寒気が侵入する。【００１２】  図２は、請求項１記載の防寒寝具の裏面図である。所謂、両縁弧状切り込み（２）は、寝具（１）の裏面も同様の形態であるが、本考案の請求項２及び請求項３の実施形態を合わせて示している。まず請求項２の本考案は、寝具（１）の裏面下部辺（５）を底部とした浅底袋（６）を設けたことを特徴とする請求項１記載の防寒寝具である。所謂、浅底袋（６）を敷き布団（７）の下部（８）に嵌め込むことで寝具の下部を固定し、これに依って寝具が上部方向へずれることがなく請求項１の本考案の効果が補助され、あわせて足先付近への寒気の侵入も防止することができる。なお，浅底袋（６）の深さが深すぎると寝具が足先を強く圧迫する場合があるので浅底袋（６）が敷き布団底部辺（８）から離脱せぬ程度の深さとする。また、浅底袋入り口の縁布（９）を厚めにして強度を増すことで寝具（１）が敷き布団底部辺（８）からの離脱を防止できる。なお、寝具の横幅は、敷き布団の横幅より若干余裕をもうけて浅底袋の取り付け状態を良くする。また、希望に依って寝具の横幅を大きくする場合に於いても浅底袋の横幅寸法は、敷き布団の底部辺（８）に正常に嵌るだけの寸法で良い。【００１３】  次に請求項３記載の本考案は、寝具（１）裏面上部の両縁弧状切り込み（２）の左右に八の字のように対称的に布の取手（１０）を各１個を設けたことを特徴とする請求項１記載の防寒寝具である。所謂、請求項１の本考案の効果に依り寝具が肩口を覆うが、寝具（１）と肩先（１１）との間に空洞（１２）ができて冷気が籠もり保温効果が低下する。従って取手（１０）に手（１３）を掛けて寝具（１）を肩先（１１）に引き寄せることで空洞（１２）がなくなり、保温効果を高めることができる。なお、取手（１０）を引き寄せる場合、左の取手（１０）は右手で、右の取手は左手で行うと容易である。なお、取手（１０）の横幅寸法（１７）は凡そ１５〜２０ミリメートルの長方形として、布の中央部を握り部とし、両端付近（１８）を寝具裏面に縫いつけて固定する。この場合、裏布（１９）だけに固定すると裏布（１９）と綿（２０）が分離する恐れがあるので、綿（２０）と表布（２１）も共に縫着する。また、取手（１０）の引きしろが必要なので、取手（１０）は肩先（１１）から凡そ１０センチメートル離れた位置に縫着するとよい。なお、取手（１０）が肩先（１１）に触れた際に違和感がないように平布とする。また、両縁弧状切り込みの縁（３）に衿当て布（２５）を縫着して清潔感を保持する。
【図面の簡単な説明】
【００１４】
【図１】防寒寝具の表面図である。
【図２】防寒寝具の裏面図である。
【図３】両縁弧状切り込み（２）の拡大平面図である。
【図４】就寝中の防寒寝具の表面図である。
【図５】取手（１０）の拡大平面図である。
【図６】取手及び寝具の拡大側断面図である。
【図７】横向きに就寝中の寝具中央を縦切断した側面図である。
【図８】取手（１０）に手（１３）を掛けた状態の寝具の側断面図である。
【図９】取手を引き寄せて寝具（１）と肩先（１１）との間の空洞（１２）が解消した状態の寝具（１）の側断面図である。
【図１０】実開平６−２９４６８号公報記載の掛け布団の斜視図である。
【図１１】実用新案登録第３０９６０７２号公報記載の主要部を示す平面図である。
【図１２】公開実昭６２−１６６７８２号公報記載の毛布の一部拡大表面図である。
【符号の説明】
【００１５】  １  寝具
２  両縁弧状切り込み
３  切り込みの縁
４  切り込み下部のＶ字型部
５  寝具の下部辺
６  浅底袋
７  敷き布団
８  敷き布団の下部辺
９  浅底袋入口の縁布
１０  取手
１１  肩先
１２  空洞
１３  手
１４  両縁弧状切り込み口
１５  両縁弧状切り込み中央部の横幅寸法
１６  寝具の端付近
１７  取手（１０）の横幅寸法
１８  取手の両端付近
１９  裏布
２０  綿
２１  表布
２２  Ｕ字型切れ込み
２３  縦襟部
２４  開衿状に折り返した部分
２５  衿当て布
２６  掛け布団
【図１】
0003114811.tif 000003
【図２】
0003114811.tif 000004
【図３】
0003114811.tif 000005
【図４】
0003114811.tif 000006
【図５】
0003114811.tif 000007
【図６】
0003114811.tif 000008
【図７】
0003114811.tif 000009
【図８】
0003114811.tif 000010
【図９】
0003114811.tif 000011
【図１０】
0003114811.tif 000012
【図１１】
0003114811.tif 000013
【図１２】
0003114811.tif 000014